(57)【要約】【課題】本発明はゴミ圧縮機能付きの公衆ゴミ箱を開示した。【解決手段】本発明のゴミ圧縮機能付きの公衆ゴミ箱は、本体を含み、前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、本発明は箱内のゴミを自動的に圧縮でき、ゴミの中の水が排水システムに入り、ゴミ箱周囲の清潔を保ち、ゴミチャンバの上側の遮り蓋板にはソーラーパネルが取り付けられ、自動的に発電し貯蔵し装置に動力を提供できる。【選択図】図１
2020196609.tif 000002
【特許請求の範囲】
【請求項１】
正面視で、本体を含み、
前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には四つの収納チャンバが設けられ、
前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、
四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵することを特徴とするゴミ圧縮機能付きの公衆ゴミ箱。
【請求項２】
四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置されていることを特徴とする請求項１に記載のゴミ圧縮機能付きの公衆ゴミ箱。
【請求項３】
前記昇降圧縮装置は昇降チャンバを含み、
前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、
前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結されていることを特徴とする請求項１に記載のゴミ圧縮機能付きの公衆ゴミ箱。
【請求項４】
前記昇降ブロックの形が前記昇降チャンバの上面断面の形と同じであり、前記昇降ブロックは前記方向変換溝の中で四十五度回転できることを特徴とする請求項３に記載のゴミ圧縮機能付きの公衆ゴミ箱。
【請求項５】
前記動力提供装置は動力チャンバを含み、
前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、
前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができることを特徴とする請求項１に記載のゴミ圧縮機能付きの公衆ゴミ箱。
【請求項６】
前記ソーラー発電装置は遮り蓋板を含み、
前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、
前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、
前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結されていることを特徴とする請求項１に記載のゴミ圧縮機能付きの公衆ゴミ箱。
【請求項７】
前記回転装置は前記投入口と連通した回転チャンバを含み、
四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、
前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結されていることを特徴とする請求項６に記載のゴミ圧縮機能付きの公衆ゴミ箱。
【請求項８】
前記足踏み式開閉装置は引き動かし溝を含み、
前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、
前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びていることを特徴とする請求項１に記載のゴミ圧縮機能付きの公衆ゴミ箱。
【発明の詳細な説明】
【技術分野】
【０００１】
本発明は環境保護技術分野を取り上げて、具体的にはゴミ圧縮機能付きの公衆ゴミ箱である。
【背景技術】
【０００２】
伝統的な公衆エリアで使用されたゴミ箱はゴミ収納機能しかついていなく、体積の大きい包装紙などのゴミはゴミ箱内の大きいなスペースを占め、ゴミ箱の容積を小さくし、作業員のゴミ回収と運搬との作業量を増やし、そして、ゴミ箱内のゴミに対する圧縮作業はだいたい人力で行われ、ゴミの中の水分を取り除くことができないため、圧縮されたゴミの運搬が不便になり、また、室外に置かれた公衆ゴミ箱は、蓋が手動で開閉され、使用が不便であり、防雨機能もついていないため、中のゴミが腐りやすく、本発明の装置は上記の問題を解決できる。
【先行技術文献】
【特許文献】
【０００３】
【特許文献１】中国特許出願公開第１０６９６６０８６号明細書
【発明の概要】
【発明が解決しようとする課題】
【０００４】
技術問題：伝統的な公衆ゴミ箱はゴミ圧縮機能が付いていなく、ゴミ箱の容積が小さく、また、室外のゴミ箱は防雨機能を持っていなく、ゴミが腐りやすく、そして、手動で蓋を開閉することはゴミの投入に不便である。
【課題を解決するための手段】
【０００５】
上記の課題を解決するため、本発明は以下の技術プランを採用する：本発明のゴミ圧縮機能付きの公衆ゴミ箱は、本体を含み、前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には四つの収納チャンバが設けられ、前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵し、
前記昇降圧縮装置が前記圧縮板を降下連動させることにより、ゴミチャンバの中にあるゴミを圧縮でき、ゴミの中にある水が前記液体チャンバを経由して排出され、前記ソーラー発電装置が発電し装置全体に電力を提供できる。
【０００６】
優選の技術プランとして、四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置され、
圧縮作業をする時、前記圧縮板が前記ゴミチャンバの中に回転し降下し、ゴミを圧縮する。
【０００７】
優選の技術プランとして、前記昇降圧縮装置は昇降チャンバを含み、前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結され、
前記昇降親ねじが回転し、前記昇降ブロックを前記昇降チャンバと対向する位置まで回転させる時、前記圧縮板が前記ゴミチャンバの上側の対応位置にあり、前記昇降ブロックが前記圧縮板を連動させて前記昇降チャンバに沿って降下させ、ゴミチャンバの中のゴミを圧縮する。
【０００８】
優選の技術プランとして、前記昇降ブロックの形が前記昇降チャンバの上面断面の形と同じであり、前記昇降ブロックは前記方向変換溝の中で四十五度回転でき、前記昇降ブロックが前記方向変換溝の左端壁と当接するまで回転した時、前記昇降親ねじが持続的に回転し前記昇降ブロックを前記昇降チャンバに沿って降下させる。
【０００９】
優選の技術プランとして、前記動力提供装置は動力チャンバを含み、前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができ、
前記モーターはそれぞれ前記昇降圧縮装置と前記ソーラー発電装置とを駆動し作動させることができる。
【００１０】
優選の技術プランとして、前記ソーラー発電装置は遮り蓋板を含み、前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結され、
前記リールは回転し前記伸縮板を制御し前記伸縮溝の中で伸縮させてスライドさせることができ、前記遮り蓋板は雨の日に前記伸縮溝から伸び出しては前記ゴミチャンバと前記ソーラーパネルとが濡らされないように雨を遮ることができ、前記ソーラーパネルが壊れることを防止する。
【００１１】
優選の技術プランとして、前記回転装置は前記投入口と連通した回転チャンバを含み、四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結され、
前記開閉回転ブロックは回転し前記遮り蓋板を揺動連動させ、前記ゴミチャンバを開閉することができ、前記第四傘歯車は回転し前記回転軸を回転連動させることで、前記遮り蓋板が反転し、前記ソーラーパネルを下向きに翻転させ、前記ソーラーパネルが劣悪な天気に影響されて壊れることを防止する。
【００１２】
優選の技術プランとして、前記足踏み式開閉装置は引き動かし溝を含み、前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びており、
下へ前記足踏み板を踏み、前記スライドラックを降下させることで前記開閉回転ブロックを揺動連動させ、前記ゴミチャンバを開閉できる。
【発明の効果】
【００１３】
本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のゴミ圧縮機能付きの公衆ゴミ箱の全体構成略図
【図２】図２は図１のＡ―Ａ方向の構成略図
【図３】図３は図２のＢ―Ｂ方向の構成略図
【図４】図４は図１のＣ―Ｃ方向の構成略図
【図５】図５は図１のＤの拡大構成略図
【図６】図６は図１のＥの拡大構成略図
【図７】図７は図１のＦ―Ｆ方向の構成略図
【発明を実施するための形態】
【００１６】
本発明のゴミ圧縮機能付きの公衆ゴミ箱は、主にゴミ回収作業のゴミ圧縮作業に適用され、以下に付図を合わせて本発明について詳しく説明する：
【００１７】
本発明の前記ゴミ圧縮機能付きの公衆ゴミ箱は、本体１０を含み、前記本体１０の中には四つのゴミチャンバ１１が円周方向に沿って配置され、前記ゴミチャンバ１１の中には濾過網５５が固定的に設けられ、前記ゴミチャンバ１１の間には昇降圧縮装置８０１が設けられ、前記昇降圧縮装置６０１の下側には動力提供装置６０２が設けられ、前記動力提供装置６０２は前記昇降圧縮装置６０１の作動を制御でき、前記ゴミチャンバ１１の上側には圧縮回転溝１７が連通するように設けられ、前記圧縮回転溝１７の中には四つの圧縮板２０が設けられ、前記圧縮板２０と前記昇降圧縮装置６０１とが固定的に連結されていることで、前記昇降圧縮装置６０１が前記圧縮板２０を降下連動させてゴミを圧縮することができ、前記圧縮回転溝１７の下側と隣接の前記ゴミチャンバ１１との間には四つの収納チャンバ９０が設けられ、前記圧縮回転溝１７の上側には四つの投入口２２が外部と連通するように設けられ、前記投入口２２の中にはソーラー発電装置６０３が設けられ、前記投入口２２の外側には足踏み式開閉装置６０４が設けられ、前記足踏み式開閉装置６０４が前記ソーラー発電装置６０３と連結され、前記本体１０の下端壁の中には地下排水パイプと連通された液体チャンバ６０が設けられ、四つの前記ゴミチャンバ１１と前記液体チャンバ６０との間がそれぞれ水管７１により連通され、前記液体チャンバ６０の右側には蓄電池２５が設けられ、前記ソーラー発電装置６０３が作動し発電し電気を前記蓄電池２５の中に貯蔵し、
前記昇降圧縮装置６０１が前記圧縮板２０を降下連動させることにより、ゴミチャンバ１１の中にあるゴミを圧縮でき、ゴミの中にある水が前記液体チャンバ６０を経由して排出され、前記ソーラー発電装置６０３が発電し装置全体に電力を提供できる。
【００１８】
有益に、四つの前記投入口２２と四つの前記ゴミチャンバ１１との位置がそれぞれ対応しており、前記圧縮板２０の初期位置が前記ゴミチャンバ１１とずれており、ゴミを前記投入口２２から直接に前記ゴミチャンバ１１に入れることができ、前記圧縮板２０の下端面には押し釘２１が均一に配置され、
圧縮作業をする時、前記圧縮板２０が前記ゴミチャンバ１１の中に回転し降下し、ゴミを圧縮する。
【００１９】
有益に、前記昇降圧縮装置６０１は昇降チャンバ１２を含み、前記昇降チャンバ１２の中には昇降親ねじ１４が回転できるように設けられ、前記昇降親ねじ１４の下端と前記動力提供装置６０２とがスプラインによって連結され、前記昇降チャンバ１２と四つの前記ゴミチャンバ１１との間にはそれぞれ昇降ガイド溝１３が連通するように設けられ、前記昇降チャンバ１２と前記昇降ガイド溝１３の上側には方向変換溝１５が連通するように設けられ、前記方向変換溝１５の上側が前記圧縮回転溝１７と連通しており、前記昇降親ねじ１４の上端が前記方向変換溝１５を貫通して前記圧縮回転溝１７の上端壁と回転可能に連結され、前記方向変換溝１５の中にある前記昇降親ねじ１４には昇降ブロック１６がねじ山によって連結され、前記昇降ブロック１６の上端面にはスリーブ１８が固定的に設けられ、前記スリーブ１８の上端が前記圧縮回転溝１７の中に延びており、前記スリーブ１８には四つの連結ロッド１９が円周方向に沿って配置され、四つの前記連結ロッド１９がそれぞれ四つの前記圧縮板２０と対応して固定的に連結され、
前記昇降親ねじ１４が回転し、前記昇降ブロック１６を前記昇降チャンバ１２と対向する位置まで回転させる時、前記圧縮板２０が前記ゴミチャンバ１１の上側の対応位置にあり、前記昇降ブロック１６が前記圧縮板２０を連動させて前記昇降チャンバ１２に沿って降下させ、ゴミチャンバ１１の中のゴミを圧縮する。
【００２０】
有益に、前記昇降ブロック１６の形が前記昇降チャンバ１２の上面断面の形と同じであり、前記昇降ブロック１６は前記方向変換溝１５の中で四十五度回転でき、前記昇降ブロック１６が前記方向変換溝１５の左端壁と当接するまで回転した時、前記昇降親ねじ１４が持続的に回転し前記昇降ブロック１６を前記昇降チャンバ１２に沿って降下させる。
【００２１】
有益に、前記動力提供装置６０２は動力チャンバ６３を含み、前記動力チャンバ６３の下端壁の中には液圧シリンダー６７が取り付けられ、前記液圧シリンダー６７の上端には伸縮軸６８が伝動できるように取り付けられ、前記伸縮軸６８の上端には動力ブロック６５が固定的に設けられ、前記動力ブロック６５の中にはモーター６６が固定的に設けられ、前記モーター６６の上端には動力スプライン軸６４が伝動できるように連結され、前記動力スプライン軸６４の上端と前記昇降親ねじ１４の下端とがスプラインによって連結されることができ、前記動力スプライン軸６４にはスプラインブロック６９が固定的に設けられ、前記動力チャンバ６３の中にはスプライン回転輪７０が回転できるように設けられ、前記スプライン回転輪７０が前記動力スプライン軸６４の外周にカバーし配置され、前記スプライン回転輪７０の内端壁がスプライン状であり、且つ前記スプラインブロック６９とスプラインによって連結されることができ、
前記モーター６６はそれぞれ前記昇降圧縮装置６０１と前記ソーラー発電装置６０３とを駆動し作動させることができる。
【００２２】
有益に、前記ソーラー発電装置６０３は遮り蓋板２３を含み、前記遮り蓋板２３の上端面にはソーラーパネル２４が取り付けられ、前記ソーラーパネル２４と前記蓄電池２５とが通電できるように連結され、前記遮り蓋板２３の中にはリールチャンバ３１が設けられ、前記リールチャンバ３１が前記ソーラーパネル２４の下側に位置し、前記リールチャンバ３１の中にはリール回転軸３３によりリール３２が回転できるように設けられ、前記リールチャンバ３１の前後側には伸縮溝２６が連通するように設けられ、前記伸縮溝２６の中には伸縮板２７がスライドできるように設けられ、前記伸縮板２７のうち前記リールチャンバ３１に近接した一端には引き紐３０が固定的に設けられ、前記引き紐３０のもう一端が前記リールチャンバ３１の中に延びており、且つ前後の前記引き紐３０が同じ側で前記リール３２に巻き付いており、前記伸縮板２７の左右端には前記伸縮板２７を復帰させることができる第一復帰部品２９が固定的に設けられ、前記伸縮板２７のうち前記リールチャンバ３１から離れた一端の面には防雨板２８が回転できるように連結され、前記リールチャンバ３１のうち前記昇降親ねじ１４の軸心線に近接した側には噛合チャンバ３４が連通するように設けられ、前記リール回転軸３３が前記噛合チャンバ３４の中に延びており、且つ前記リール回転軸３３には第一傘歯車３５が固定的に設けられ、前記第一傘歯車３５の片側には第二傘歯車３６が噛合できるように連結され、前記噛合チャンバ３４のうち前記リールチャンバ３１から離れた側には回転溝３９が設けられ、前記回転溝３９の中には回転歯車４０が歯車回転軸３８により回転できるように設けられ、前記歯車回転軸３８と前記第二傘歯車３６との間が伝動ベルト３７により伝動できるように連結され、前記投入口２２の外側には回転装置６０５が設けられ、前記遮り蓋板２３と前記投入口２２とが回転できるように連結され、
前記リール３２は回転し前記伸縮板２７を制御し前記伸縮溝２６の中で伸縮させてスライドさせることができ、前記遮り蓋板２３は雨の日に前記伸縮溝２６から伸び出しては前記ゴミチャンバ１１と前記ソーラーパネル２４とが濡らされないように雨を遮ることができ、前記ソーラーパネル２４が壊れることを防止する。
【００２３】
有益に、前記回転装置６０５は前記投入口２２と連通した回転チャンバ４１を含み、四つの前記回転チャンバ４１の中にはそれぞれ回転ブロック４２が設けられ、前記遮り蓋板２３のうち前記昇降親ねじ１４の軸心線に近接した一端面の中間部分が前記回転ブロック４２と固定的に連結され、前記回転ブロック４２の中には押し溝４３が設けられ、前記押し溝４３の中には押しロッド４４がスライドできるように設けられ、前記押しロッド４４が前記回転歯車４０と噛合しており、前記押しロッド４４の下端には圧縮バネ４５が固定的に設けられ、前記投入口２２のうち前記回転チャンバ４１から離れた片側には開閉チャンバ４７が連通するように設けられ、前記開閉チャンバ４７の中には開閉回転ブロック４６が回転できるように設けられ、前記開閉回転ブロック４６の中には回転軸４８が回転できるように設けられ、前記回転軸４８が前記遮り蓋板２３と固定的に連結され、前記回転軸４８には第三傘歯車４９が固定的に設けられ、前記開閉チャンバ４７の中には前記第三傘歯車４９と噛合した第四傘歯車５０が回転できるように設けられ、前記第四傘歯車５０の軸心には芯金５４が固定的に設けられ、四つの前記芯金５４と前記スプライン回転輪７０との間が同期歯型ベルト６２により伝動できるように連結され、
前記開閉回転ブロック４６は回転し前記遮り蓋板２３を揺動連動させ、前記ゴミチャンバ１１を開閉することができ、前記第四傘歯車５０は回転し前記回転軸４８を回転連動させることで、前記遮り蓋板２３が反転し、前記ソーラーパネル２４を下向きに翻転させ、前記ソーラーパネル２４が劣悪な天気に影響されて壊れることを防止する。
【００２４】
有益に、前記足踏み式開閉装置６０４は引き動かし溝５１を含み、前記引き動かし溝５１が前記開閉チャンバ４７と連通しており、四つの前記引き動かし溝５１の中にはそれぞれスライドラック５２が設けられ、前記スライドラック５２のうち前記開閉チャンバ４７に近接した端面が前記開閉回転ブロック４６と噛合しており、前記スライドラック５２のうち前記スライドラック５２と対応した前記ゴミチャンバ１１の端面には第二復帰部品５３が固定的に設けられ、前記第二復帰部品５３は前記スライドラック５２を自動的に昇降させて復帰させることができ、前記引き動かし溝５１の下側には足踏み溝５６が外部と連通するように設けられ、前記スライドラック５２の下端が前記足踏み溝５６の中に延びており、前記足踏み溝５６の中にある前記スライドラック５２には連通溝５７が設けられ、前記足踏み溝５６の中には足踏み板５８が回転できるように設けられ、前記足踏み板５８のうち前記昇降親ねじ１４から離れた一端が前記連通溝５７を貫通し外部に延びており、
下へ前記足踏み板５８を踏み、前記スライドラック５２を降下させることで前記開閉回転ブロック４６を揺動連動させ、前記ゴミチャンバ１１を開閉できる。
【００２５】
以下に図１〜７を合わせて本発明のゴミ圧縮機能付きの公衆ゴミ箱の使用手順について詳しく説明する：
【００２６】
初期状態に、遮り蓋板２３はゴミチャンバ１１の上側に位置してゴミチャンバ１１を遮ることができ、圧縮板２０が圧縮回転溝１７の中に位置しており、且つ圧縮板２０がゴミチャンバ１１と投入口２２との連通を妨害していなく、昇降ブロック１６が方向変換溝１５の中に位置しており、防雨板２８が伸縮溝２６の中に収縮しており、且つ第一復帰部品２９が延びている状態であり、回収されたゴミ又はゴミ掃除道具を収納チャンバ９０の中に収納することで、作業員が随意に使用することに便利であり、晴れた日に、ソーラーパネル２４が作動しソーラーパワーを電気エネルギーに変え、電気エネルギーを蓄電池２５の中に貯蔵し、ゴミを捨てる時、足で足踏み板５８を踏み降下させ、引き動かし溝５１を降下させ、開閉回転ブロック４６が回転し、遮り蓋板２３を上方へ揺動連動させ、ゴミチャンバ１１を開け、ゴミをゴミチャンバ１１の中に入れる。
【００２７】
圧縮する時、モーター６６が作動し動力スプライン軸６４を回転連動させ、昇降親ねじ１４が回転し、昇降ブロック１６を四十五度回転させ、圧縮板２０をゴミチャンバ１１の上側に位置させることで、昇降ブロック１６が降下し、連結ロッド１９により圧縮板２０を降下連動させ、これによって圧縮板２０にゴミチャンバ１１の中のゴミを圧縮させ、ゴミの中の水が押されて濾過網５５と水管７１とを経由して液体チャンバ６０の中に入り、外部の排水システムの中に排出され、雨の日に使用する時、液圧シリンダー６７が作動し伸縮軸６８を降下させ、動力ブロック６５を降下連動させ、動力スプライン軸６４と昇降親ねじ１４とが離脱し、且つスプラインブロック６９がスプライン回転輪７０とスプラインにより連結され、モーター６６が作動しスプライン回転輪７０を回転連動させ、同期歯型ベルト６２により第四傘歯車５０を回転連動させ、第三傘歯車４９が回転軸４８を回転連動させ、ソーラーパネル２４が下向きになるまで遮り蓋板２３を翻転させ、遮り蓋板２３が翻転する過程に回転ブロック４２を回転連動させ、押しロッド４４が回転チャンバ４１の内端壁に押されて押し溝４３の中に収縮し、回転歯車４０を回転させ、伝動によりリール３２を回転させ、伸縮板２７が第一復帰部品２９の弾性復帰力によりリール３２から離れた側へ移動し、防雨板２８が伸縮溝２６から伸び出して垂直状態になり、雨を遮り、雨水がゴミチャンバ１１の中に入ることを防止でき、またソーラーパネル２４を保護できる。
【００２８】
本発明の有益効果は：本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【００２９】
以上の方式により、本分野の技術者は本発明の範囲内に作動モードにより各種な変形を加えることができる。
【図１】
2020196609.tif 000003
【図２】
2020196609.tif 000004
【図３】
2020196609.tif 000005
【図４】
2020196609.tif 000006
【図５】
2020196609.tif 000007
【図６】
2020196609.tif 000008
【図７】
2020196609.tif 000009
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
正面視で、本体を含み、
前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には掃除道具を収納できる四つの収納チャンバが設けられ、
前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、
四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵し本願発明のゴミ圧縮機能付きの公衆ゴミ箱に電気を提供することを特徴とするゴミ圧縮機能付きの公衆ゴミ箱。
【請求項２】
四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置されていることを特徴とする請求項１に記載のゴミ圧縮機能付きの公衆ゴミ箱。
【請求項３】
前記昇降圧縮装置は昇降チャンバを含み、
前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、
前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結されていることを特徴とする請求項１に記載のゴミ圧縮機能付きの公衆ゴミ箱。
【請求項４】
前記昇降ブロックの形が前記昇降チャンバの上面断面の形と同じであり、前記昇降ブロックは前記方向変換溝の中で四十五度回転できることを特徴とする請求項３に記載のゴミ圧縮機能付きの公衆ゴミ箱。
【請求項５】
前記動力提供装置は動力チャンバを含み、
前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、
前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができることを特徴とする請求項１に記載のゴミ圧縮機能付きの公衆ゴミ箱。
【請求項６】
前記ソーラー発電装置は遮り蓋板を含み、
前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、
前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、
前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結されていることを特徴とする請求項１に記載のゴミ圧縮機能付きの公衆ゴミ箱。
【請求項７】
前記回転装置は前記投入口と連通した回転チャンバを含み、
四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、
前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結されていることを特徴とする請求項６に記載のゴミ圧縮機能付きの公衆ゴミ箱。
【請求項８】
前記足踏み式開閉装置は引き動かし溝を含み、
前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びており、
下へ前記足踏み板を踏み、前記スライドラックを降下させることで前記開閉回転ブロックを揺動連動させ、前記ゴミチャンバを開閉できることを特徴とする請求項１に記載のゴミ圧縮機能付きの公衆ゴミ箱。
【手続補正２】
【補正対象書類名】明細書
【補正対象項目名】全文
【補正方法】変更
【補正の内容】
【発明の詳細な説明】
【技術分野】
【０００１】
本発明は環境保護技術分野を取り上げて、具体的にはゴミ圧縮機能付きの公衆ゴミ箱である。
【背景技術】
【０００２】
伝統的な公衆エリアで使用されたゴミ箱はゴミ収納機能しかついていなく、体積の大きい包装紙などのゴミはゴミ箱内の大きいなスペースを占め、ゴミ箱の容積を小さくし、作業員のゴミ回収と運搬との作業量を増やし、そして、ゴミ箱内のゴミに対する圧縮作業はだいたい人力で行われ、ゴミの中の水分を取り除くことができないため、圧縮されたゴミの運搬が不便になり、また、室外に置かれた公衆ゴミ箱は、蓋が手動で開閉され、使用が不便であり、防雨機能もついていないため、中のゴミが腐りやすく、本発明の装置は上記の問題を解決できる。
【先行技術文献】
【特許文献】
【０００３】
【特許文献１】中国特許出願公開第１０６９６６０８６号明細書
【発明の概要】
【発明が解決しようとする課題】
【０００４】
技術問題：伝統的な公衆ゴミ箱はゴミ圧縮機能が付いていなく、ゴミ箱の容積が小さく、また、室外のゴミ箱は防雨機能を持っていなく、ゴミが腐りやすく、そして、手動で蓋を開閉することはゴミの投入に不便である。
【課題を解決するための手段】
【０００５】
上記の課題を解決するため、本発明は以下の技術プランを採用する：本発明のゴミ圧縮機能付きの公衆ゴミ箱は、本体を含み、前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には掃除道具を収納できる四つの収納チャンバが設けられ、前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵し本願発明のゴミ圧縮機能付きの公衆ゴミ箱に電気を提供し、
前記昇降圧縮装置が前記圧縮板を降下連動させることにより、ゴミチャンバの中にあるゴミを圧縮でき、ゴミの中にある水が前記液体チャンバを経由して排出され、前記ソーラー発電装置が発電し装置全体に電力を提供できる。
【０００６】
優選の技術プランとして、四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置され、
圧縮作業をする時、前記圧縮板が前記ゴミチャンバの中に回転し降下し、ゴミを圧縮する。
【０００７】
優選の技術プランとして、前記昇降圧縮装置は昇降チャンバを含み、前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結され、
前記昇降親ねじが回転し、前記昇降ブロックを前記昇降チャンバと対向する位置まで回転させる時、前記圧縮板が前記ゴミチャンバの上側の対応位置にあり、前記昇降ブロックが前記圧縮板を連動させて前記昇降チャンバに沿って降下させ、ゴミチャンバの中のゴミを圧縮する。
【０００８】
優選の技術プランとして、前記昇降ブロックの形が前記昇降チャンバの上面断面の形と同じであり、前記昇降ブロックは前記方向変換溝の中で四十五度回転でき、前記昇降ブロックが前記方向変換溝の左端壁と当接するまで回転した時、前記昇降親ねじが持続的に回転し前記昇降ブロックを前記昇降チャンバに沿って降下させる。
【０００９】
優選の技術プランとして、前記動力提供装置は動力チャンバを含み、前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができ、
前記モーターはそれぞれ前記昇降圧縮装置と前記ソーラー発電装置とを駆動し作動させることができる。
【００１０】
優選の技術プランとして、前記ソーラー発電装置は遮り蓋板を含み、前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結され、
前記リールは回転し前記伸縮板を制御し前記伸縮溝の中で伸縮させてスライドさせることができ、前記遮り蓋板は雨の日に前記伸縮溝から伸び出しては前記ゴミチャンバと前記ソーラーパネルとが濡らされないように雨を遮ることができ、前記ソーラーパネルが壊れることを防止する。
【００１１】
優選の技術プランとして、前記回転装置は前記投入口と連通した回転チャンバを含み、四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結され、
前記開閉回転ブロックは回転し前記遮り蓋板を揺動連動させ、前記ゴミチャンバを開閉することができ、前記第四傘歯車は回転し前記回転軸を回転連動させることで、前記遮り蓋板が反転し、前記ソーラーパネルを下向きに翻転させ、前記ソーラーパネルが劣悪な天気に影響されて壊れることを防止する。
【００１２】
優選の技術プランとして、前記足踏み式開閉装置は引き動かし溝を含み、前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びており、
下へ前記足踏み板を踏み、前記スライドラックを降下させることで前記開閉回転ブロックを揺動連動させ、前記ゴミチャンバを開閉できる。
【発明の効果】
【００１３】
本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のゴミ圧縮機能付きの公衆ゴミ箱の全体構成略図
【図２】図２は図１のＡ―Ａ方向の構成略図
【図３】図３は図２のＢ―Ｂ方向の構成略図
【図４】図４は図１のＣ―Ｃ方向の構成略図
【図５】図５は図１のＤの拡大構成略図
【図６】図６は図１のＥの拡大構成略図
【図７】図７は図１のＦ―Ｆ方向の構成略図
【発明を実施するための形態】
【００１６】
本発明のゴミ圧縮機能付きの公衆ゴミ箱は、主にゴミ回収作業のゴミ圧縮作業に適用され、以下に付図を合わせて本発明について詳しく説明する：
【００１７】
本発明の前記ゴミ圧縮機能付きの公衆ゴミ箱は、本体１０を含み、前記本体１０の中には四つのゴミチャンバ１１が円周方向に沿って配置され、前記ゴミチャンバ１１の中には濾過網５５が固定的に設けられ、前記ゴミチャンバ１１の間には昇降圧縮装置８０１が設けられ、前記昇降圧縮装置６０１の下側には動力提供装置６０２が設けられ、前記動力提供装置６０２は前記昇降圧縮装置６０１の作動を制御でき、前記ゴミチャンバ１１の上側には圧縮回転溝１７が連通するように設けられ、前記圧縮回転溝１７の中には四つの圧縮板２０が設けられ、前記圧縮板２０と前記昇降圧縮装置６０１とが固定的に連結されていることで、前記昇降圧縮装置６０１が前記圧縮板２０を降下連動させてゴミを圧縮することができ、前記圧縮回転溝１７の下側と隣接の前記ゴミチャンバ１１との間には掃除道具を収納できる四つの収納チャンバ９０が設けられ、前記圧縮回転溝１７の上側には四つの投入口２２が外部と連通するように設けられ、前記投入口２２の中にはソーラー発電装置６０３が設けられ、前記投入口２２の外側には足踏み式開閉装置６０４が設けられ、前記足踏み式開閉装置６０４が前記ソーラー発電装置６０３と連結され、前記本体１０の下端壁の中には地下排水パイプと連通された液体チャンバ６０が設けられ、四つの前記ゴミチャンバ１１と前記液体チャンバ６０との間がそれぞれ水管７１により連通され、前記液体チャンバ６０の右側には蓄電池２５が設けられ、前記ソーラー発電装置６０３が作動し発電し電気を前記蓄電池２５の中に貯蔵し本願発明のゴミ圧縮機能付きの公衆ゴミ箱に電気を提供し、
前記昇降圧縮装置６０１が前記圧縮板２０を降下連動させることにより、ゴミチャンバ１１の中にあるゴミを圧縮でき、ゴミの中にある水が前記液体チャンバ６０を経由して排出され、前記ソーラー発電装置６０３が発電し装置全体に電力を提供できる。
【００１８】
有益に、四つの前記投入口２２と四つの前記ゴミチャンバ１１との位置がそれぞれ対応しており、前記圧縮板２０の初期位置が前記ゴミチャンバ１１とずれており、ゴミを前記投入口２２から直接に前記ゴミチャンバ１１に入れることができ、前記圧縮板２０の下端面には押し釘２１が均一に配置され、
圧縮作業をする時、前記圧縮板２０が前記ゴミチャンバ１１の中に回転し降下し、ゴミを圧縮する。
【００１９】
有益に、前記昇降圧縮装置６０１は昇降チャンバ１２を含み、前記昇降チャンバ１２の中には昇降親ねじ１４が回転できるように設けられ、前記昇降親ねじ１４の下端と前記動力提供装置６０２とがスプラインによって連結され、前記昇降チャンバ１２と四つの前記ゴミチャンバ１１との間にはそれぞれ昇降ガイド溝１３が連通するように設けられ、前記昇降チャンバ１２と前記昇降ガイド溝１３の上側には方向変換溝１５が連通するように設けられ、前記方向変換溝１５の上側が前記圧縮回転溝１７と連通しており、前記昇降親ねじ１４の上端が前記方向変換溝１５を貫通して前記圧縮回転溝１７の上端壁と回転可能に連結され、前記方向変換溝１５の中にある前記昇降親ねじ１４には昇降ブロック１６がねじ山によって連結され、前記昇降ブロック１６の上端面にはスリーブ１８が固定的に設けられ、前記スリーブ１８の上端が前記圧縮回転溝１７の中に延びており、前記スリーブ１８には四つの連結ロッド１９が円周方向に沿って配置され、四つの前記連結ロッド１９がそれぞれ四つの前記圧縮板２０と対応して固定的に連結され、
前記昇降親ねじ１４が回転し、前記昇降ブロック１６を前記昇降チャンバ１２と対向する位置まで回転させる時、前記圧縮板２０が前記ゴミチャンバ１１の上側の対応位置にあり、前記昇降ブロック１６が前記圧縮板２０を連動させて前記昇降チャンバ１２に沿って降下させ、ゴミチャンバ１１の中のゴミを圧縮する。
【００２０】
有益に、前記昇降ブロック１６の形が前記昇降チャンバ１２の上面断面の形と同じであり、前記昇降ブロック１６は前記方向変換溝１５の中で四十五度回転でき、前記昇降ブロック１６が前記方向変換溝１５の左端壁と当接するまで回転した時、前記昇降親ねじ１４が持続的に回転し前記昇降ブロック１６を前記昇降チャンバ１２に沿って降下させる。
【００２１】
有益に、前記動力提供装置６０２は動力チャンバ６３を含み、前記動力チャンバ６３の下端壁の中には液圧シリンダー６７が取り付けられ、前記液圧シリンダー６７の上端には伸縮軸６８が伝動できるように取り付けられ、前記伸縮軸６８の上端には動力ブロック６５が固定的に設けられ、前記動力ブロック６５の中にはモーター６６が固定的に設けられ、前記モーター６６の上端には動力スプライン軸６４が伝動できるように連結され、前記動力スプライン軸６４の上端と前記昇降親ねじ１４の下端とがスプラインによって連結されることができ、前記動力スプライン軸６４にはスプラインブロック６９が固定的に設けられ、前記動力チャンバ６３の中にはスプライン回転輪７０が回転できるように設けられ、前記スプライン回転輪７０が前記動力スプライン軸６４の外周にカバーし配置され、前記スプライン回転輪７０の内端壁がスプライン状であり、且つ前記スプラインブロック６９とスプラインによって連結されることができ、
前記モーター６６はそれぞれ前記昇降圧縮装置６０１と前記ソーラー発電装置６０３とを駆動し作動させることができる。
【００２２】
有益に、前記ソーラー発電装置６０３は遮り蓋板２３を含み、前記遮り蓋板２３の上端面にはソーラーパネル２４が取り付けられ、前記ソーラーパネル２４と前記蓄電池２５とが通電できるように連結され、前記遮り蓋板２３の中にはリールチャンバ３１が設けられ、前記リールチャンバ３１が前記ソーラーパネル２４の下側に位置し、前記リールチャンバ３１の中にはリール回転軸３３によりリール３２が回転できるように設けられ、前記リールチャンバ３１の前後側には伸縮溝２６が連通するように設けられ、前記伸縮溝２６の中には伸縮板２７がスライドできるように設けられ、前記伸縮板２７のうち前記リールチャンバ３１に近接した一端には引き紐３０が固定的に設けられ、前記引き紐３０のもう一端が前記リールチャンバ３１の中に延びており、且つ前後の前記引き紐３０が同じ側で前記リール３２に巻き付いており、前記伸縮板２７の左右端には前記伸縮板２７を復帰させることができる第一復帰部品２９が固定的に設けられ、前記伸縮板２７のうち前記リールチャンバ３１から離れた一端の面には防雨板２８が回転できるように連結され、前記リールチャンバ３１のうち前記昇降親ねじ１４の軸心線に近接した側には噛合チャンバ３４が連通するように設けられ、前記リール回転軸３３が前記噛合チャンバ３４の中に延びており、且つ前記リール回転軸３３には第一傘歯車３５が固定的に設けられ、前記第一傘歯車３５の片側には第二傘歯車３６が噛合できるように連結され、前記噛合チャンバ３４のうち前記リールチャンバ３１から離れた側には回転溝３９が設けられ、前記回転溝３９の中には回転歯車４０が歯車回転軸３８により回転できるように設けられ、前記歯車回転軸３８と前記第二傘歯車３６との間が伝動ベルト３７により伝動できるように連結され、前記投入口２２の外側には回転装置６０５が設けられ、前記遮り蓋板２３と前記投入口２２とが回転できるように連結され、
前記リール３２は回転し前記伸縮板２７を制御し前記伸縮溝２６の中で伸縮させてスライドさせることができ、前記遮り蓋板２３は雨の日に前記伸縮溝２６から伸び出しては前記ゴミチャンバ１１と前記ソーラーパネル２４とが濡らされないように雨を遮ることができ、前記ソーラーパネル２４が壊れることを防止する。
【００２３】
有益に、前記回転装置６０５は前記投入口２２と連通した回転チャンバ４１を含み、四つの前記回転チャンバ４１の中にはそれぞれ回転ブロック４２が設けられ、前記遮り蓋板２３のうち前記昇降親ねじ１４の軸心線に近接した一端面の中間部分が前記回転ブロック４２と固定的に連結され、前記回転ブロック４２の中には押し溝４３が設けられ、前記押し溝４３の中には押しロッド４４がスライドできるように設けられ、前記押しロッド４４が前記回転歯車４０と噛合しており、前記押しロッド４４の下端には圧縮バネ４５が固定的に設けられ、前記投入口２２のうち前記回転チャンバ４１から離れた片側には開閉チャンバ４７が連通するように設けられ、前記開閉チャンバ４７の中には開閉回転ブロック４６が回転できるように設けられ、前記開閉回転ブロック４６の中には回転軸４８が回転できるように設けられ、前記回転軸４８が前記遮り蓋板２３と固定的に連結され、前記回転軸４８には第三傘歯車４９が固定的に設けられ、前記開閉チャンバ４７の中には前記第三傘歯車４９と噛合した第四傘歯車５０が回転できるように設けられ、前記第四傘歯車５０の軸心には芯金５４が固定的に設けられ、四つの前記芯金５４と前記スプライン回転輪７０との間が同期歯型ベルト６２により伝動できるように連結され、
前記開閉回転ブロック４６は回転し前記遮り蓋板２３を揺動連動させ、前記ゴミチャンバ１１を開閉することができ、前記第四傘歯車５０は回転し前記回転軸４８を回転連動させることで、前記遮り蓋板２３が反転し、前記ソーラーパネル２４を下向きに翻転させ、前記ソーラーパネル２４が劣悪な天気に影響されて壊れることを防止する。
【００２４】
有益に、前記足踏み式開閉装置６０４は引き動かし溝５１を含み、前記引き動かし溝５１が前記開閉チャンバ４７と連通しており、四つの前記引き動かし溝５１の中にはそれぞれスライドラック５２が設けられ、前記スライドラック５２のうち前記開閉チャンバ４７に近接した端面が前記開閉回転ブロック４６と噛合しており、前記スライドラック５２のうち前記スライドラック５２と対応した前記ゴミチャンバ１１の端面には第二復帰部品５３が固定的に設けられ、前記第二復帰部品５３は前記スライドラック５２を自動的に昇降させて復帰させることができ、前記引き動かし溝５１の下側には足踏み溝５６が外部と連通するように設けられ、前記スライドラック５２の下端が前記足踏み溝５６の中に延びており、前記足踏み溝５６の中にある前記スライドラック５２には連通溝５７が設けられ、前記足踏み溝５６の中には足踏み板５８が回転できるように設けられ、前記足踏み板５８のうち前記昇降親ねじ１４から離れた一端が前記連通溝５７を貫通し外部に延びており、下へ前記足踏み板５８を踏み、前記スライドラック５２を降下させることで前記開閉回転ブロック４６を揺動連動させ、前記ゴミチャンバ１１を開閉できる。
【００２５】
以下に図１〜７を合わせて本発明のゴミ圧縮機能付きの公衆ゴミ箱の使用手順について詳しく説明する：
【００２６】
初期状態に、遮り蓋板２３はゴミチャンバ１１の上側に位置してゴミチャンバ１１を遮ることができ、圧縮板２０が圧縮回転溝１７の中に位置しており、且つ圧縮板２０がゴミチャンバ１１と投入口２２との連通を妨害していなく、昇降ブロック１６が方向変換溝１５の中に位置しており、防雨板２８が伸縮溝２６の中に収縮しており、且つ第一復帰部品２９が延びている状態であり、回収されたゴミ又はゴミ掃除道具を収納チャンバ９０の中に収納することで、作業員が随意に使用することに便利であり、晴れた日に、ソーラーパネル２４が作動しソーラーパワーを電気エネルギーに変え、電気エネルギーを蓄電池２５の中に貯蔵し、ゴミを捨てる時、足で足踏み板５８を踏み降下させ、引き動かし溝５１を降下させ、開閉回転ブロック４６が回転し、遮り蓋板２３を上方へ揺動連動させ、ゴミチャンバ１１を開け、ゴミをゴミチャンバ１１の中に入れる。
【００２７】
圧縮する時、モーター６６が作動し動力スプライン軸６４を回転連動させ、昇降親ねじ１４が回転し、昇降ブロック１６を四十五度回転させ、圧縮板２０をゴミチャンバ１１の上側に位置させることで、昇降ブロック１６が降下し、連結ロッド１９により圧縮板２０を降下連動させ、これによって圧縮板２０にゴミチャンバ１１の中のゴミを圧縮させ、ゴミの中の水が押されて濾過網５５と水管７１とを経由して液体チャンバ６０の中に入り、外部の排水システムの中に排出され、雨の日に使用する時、液圧シリンダー６７が作動し伸縮軸６８を降下させ、動力ブロック６５を降下連動させ、動力スプライン軸６４と昇降親ねじ１４とが離脱し、且つスプラインブロック６９がスプライン回転輪７０とスプラインにより連結され、モーター６６が作動しスプライン回転輪７０を回転連動させ、同期歯型ベルト６２により第四傘歯車５０を回転連動させ、第三傘歯車４９が回転軸４８を回転連動させ、ソーラーパネル２４が下向きになるまで遮り蓋板２３を翻転させ、遮り蓋板２３が翻転する過程に回転ブロック４２を回転連動させ、押しロッド４４が回転チャンバ４１の内端壁に押されて押し溝４３の中に収縮し、回転歯車４０を回転させ、伝動によりリール３２を回転させ、伸縮板２７が第一復帰部品２９の弾性復帰力によりリール３２から離れた側へ移動し、防雨板２８が伸縮溝２６から伸び出して垂直状態になり、雨を遮り、雨水がゴミチャンバ１１の中に入ることを防止でき、またソーラーパネル２４を保護できる。
【００２８】
本発明の有益効果は：本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【００２９】
以上の方式により、本分野の技術者は本発明の範囲内に作動モードにより各種な変形を加えることができる。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
正面視で、本体を含み、
前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には掃除道具と回収されたゴミを収納できる四つの収納チャンバが設けられ、
前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、
四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵し本願発明のゴミ圧縮機能付きの公衆ゴミ箱に電気を提供でき、
四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置されており、
前記昇降圧縮装置は昇降チャンバを含み、
前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、
前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結されており、
前記昇降ブロックの形が前記昇降チャンバの上面断面の形と同じであり、前記昇降ブロックは前記方向変換溝の中で四十五度回転でき、
前記動力提供装置は動力チャンバを含み、
前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、
前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができ、
前記ソーラー発電装置は遮り蓋板を含み、
前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、
前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、
前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結されており、
前記回転装置は前記投入口と連通した回転チャンバを含み、
四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、
前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結されており、
前記足踏み式開閉装置は引き動かし溝を含み、
前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びており、
下へ前記足踏み板を踏み、前記スライドラックを降下させることで前記開閉回転ブロックを揺動連動させ、前記ゴミチャンバを開閉できることを特徴とするゴミ圧縮機能付きの公衆ゴミ箱。
【手続補正２】
【補正対象書類名】明細書
【補正対象項目名】全文
【補正方法】変更
【補正の内容】
【発明の詳細な説明】
【技術分野】
【０００１】
本発明は環境保護技術分野を取り上げて、具体的にはゴミ圧縮機能付きの公衆ゴミ箱である。
【背景技術】
【０００２】
伝統的な公衆エリアで使用されたゴミ箱はゴミ収納機能しかついていなく、体積の大きい包装紙などのゴミはゴミ箱内の大きいなスペースを占め、ゴミ箱の容積を小さくし、作業員のゴミ回収と運搬との作業量を増やし、そして、ゴミ箱内のゴミに対する圧縮作業はだいたい人力で行われ、ゴミの中の水分を取り除くことができないため、圧縮されたゴミの運搬が不便になり、また、室外に置かれた公衆ゴミ箱は、蓋が手動で開閉され、使用が不便であり、防雨機能もついていないため、中のゴミが腐りやすく、本発明の装置は上記の問題を解決できる。
【先行技術文献】
【特許文献】
【０００３】
【特許文献１】中国特許出願公開第１０６９６６０８６号明細書
【発明の概要】
【発明が解決しようとする課題】
【０００４】
技術問題：伝統的な公衆ゴミ箱はゴミ圧縮機能が付いていなく、ゴミ箱の容積が小さく、また、室外のゴミ箱は防雨機能を持っていなく、ゴミが腐りやすく、そして、手動で蓋を開閉することはゴミの投入に不便である。
【課題を解決するための手段】
【０００５】
上記の課題を解決するため、本発明は以下の技術プランを採用する：本発明のゴミ圧縮機能付きの公衆ゴミ箱は、本体を含み、前記本体の中には四つのゴミチャンバが円周方向に沿って配置され、前記ゴミチャンバの中には濾過網が固定的に設けられ、前記ゴミチャンバの間には昇降圧縮装置が設けられ、前記昇降圧縮装置の下側には動力提供装置が設けられ、前記動力提供装置は前記昇降圧縮装置の作動を制御でき、前記ゴミチャンバの上側には圧縮回転溝が連通するように設けられ、前記圧縮回転溝の中には四つの圧縮板が設けられ、前記圧縮板と前記昇降圧縮装置とが固定的に連結されていることで、前記昇降圧縮装置が前記圧縮板を降下連動させてゴミを圧縮することができ、前記圧縮回転溝の下側と隣接の前記ゴミチャンバとの間には掃除道具と回収されたゴミを収納できる四つの収納チャンバが設けられ、前記圧縮回転溝の上側には四つの投入口が外部と連通するように設けられ、前記投入口の中にはソーラー発電装置が設けられ、前記投入口の外側には足踏み式開閉装置が設けられ、前記足踏み式開閉装置が前記ソーラー発電装置と連結され、前記本体の下端壁の中には地下排水パイプと連通された液体チャンバが設けられ、四つの前記ゴミチャンバと前記液体チャンバとの間がそれぞれ水管により連通され、前記液体チャンバの右側には蓄電池が設けられ、前記ソーラー発電装置が作動し発電し電気を前記蓄電池の中に貯蔵し本願発明のゴミ圧縮機能付きの公衆ゴミ箱に電気を提供し、
前記昇降圧縮装置が前記圧縮板を降下連動させることにより、ゴミチャンバの中にあるゴミを圧縮でき、ゴミの中にある水が前記液体チャンバを経由して排出され、前記ソーラー発電装置が発電し装置全体に電力を提供できる。
【０００６】
優選の技術プランとして、四つの前記投入口と四つの前記ゴミチャンバとの位置がそれぞれ対応しており、前記圧縮板の初期位置が前記ゴミチャンバとずれており、ゴミを前記投入口から直接に前記ゴミチャンバに入れることができ、前記圧縮板の下端面には押し釘が均一に配置され、
圧縮作業をする時、前記圧縮板が前記ゴミチャンバの中に回転し降下し、ゴミを圧縮する。
【０００７】
優選の技術プランとして、前記昇降圧縮装置は昇降チャンバを含み、前記昇降チャンバの中には昇降親ねじが回転できるように設けられ、前記昇降親ねじの下端と前記動力提供装置とがスプラインによって連結され、前記昇降チャンバと四つの前記ゴミチャンバとの間にはそれぞれ昇降ガイド溝が連通するように設けられ、前記昇降チャンバと前記昇降ガイド溝の上側には方向変換溝が連通するように設けられ、前記方向変換溝の上側が前記圧縮回転溝と連通しており、前記昇降親ねじの上端が前記方向変換溝を貫通して前記圧縮回転溝の上端壁と回転可能に連結され、前記方向変換溝の中にある前記昇降親ねじには昇降ブロックがねじ山によって連結され、前記昇降ブロックの上端面にはスリーブが固定的に設けられ、前記スリーブの上端が前記圧縮回転溝の中に延びており、前記スリーブには四つの連結ロッドが円周方向に沿って配置され、四つの前記連結ロッドがそれぞれ四つの前記圧縮板と対応して固定的に連結され、
前記昇降親ねじが回転し、前記昇降ブロックを前記昇降チャンバと対向する位置まで回転させる時、前記圧縮板が前記ゴミチャンバの上側の対応位置にあり、前記昇降ブロックが前記圧縮板を連動させて前記昇降チャンバに沿って降下させ、ゴミチャンバの中のゴミを圧縮する。
【０００８】
優選の技術プランとして、前記昇降ブロックの形が前記昇降チャンバの上面断面の形と同じであり、前記昇降ブロックは前記方向変換溝の中で四十五度回転でき、前記昇降ブロックが前記方向変換溝の左端壁と当接するまで回転した時、前記昇降親ねじが持続的に回転し前記昇降ブロックを前記昇降チャンバに沿って降下させる。
【０００９】
優選の技術プランとして、前記動力提供装置は動力チャンバを含み、前記動力チャンバの下端壁の中には液圧シリンダーが取り付けられ、前記液圧シリンダーの上端には伸縮軸が伝動できるように取り付けられ、前記伸縮軸の上端には動力ブロックが固定的に設けられ、前記動力ブロックの中にはモーターが固定的に設けられ、前記モーターの上端には動力スプライン軸が伝動できるように連結され、前記動力スプライン軸の上端と前記昇降親ねじの下端とがスプラインによって連結されることができ、前記動力スプライン軸にはスプラインブロックが固定的に設けられ、前記動力チャンバの中にはスプライン回転輪が回転できるように設けられ、前記スプライン回転輪が前記動力スプライン軸の外周にカバーし配置され、前記スプライン回転輪の内端壁がスプライン状であり、且つ前記スプラインブロックとスプラインによって連結されることができ、
前記モーターはそれぞれ前記昇降圧縮装置と前記ソーラー発電装置とを駆動し作動させることができる。
【００１０】
優選の技術プランとして、前記ソーラー発電装置は遮り蓋板を含み、前記遮り蓋板の上端面にはソーラーパネルが取り付けられ、前記ソーラーパネルと前記蓄電池とが通電できるように連結され、前記遮り蓋板の中にはリールチャンバが設けられ、前記リールチャンバが前記ソーラーパネルの下側に位置し、前記リールチャンバの中にはリール回転軸によりリールが回転できるように設けられ、前記リールチャンバの前後側には伸縮溝が連通するように設けられ、前記伸縮溝の中には伸縮板がスライドできるように設けられ、前記伸縮板のうち前記リールチャンバに近接した一端には引き紐が固定的に設けられ、前記引き紐のもう一端が前記リールチャンバの中に延びており、且つ前後の前記引き紐が同じ側で前記リールに巻き付いており、前記伸縮板の左右端には前記伸縮板を復帰させることができる第一復帰部品が固定的に設けられ、前記伸縮板のうち前記リールチャンバから離れた一端の面には防雨板が回転できるように連結され、前記リールチャンバのうち前記昇降親ねじの軸心線に近接した側には噛合チャンバが連通するように設けられ、前記リール回転軸が前記噛合チャンバの中に延びており、且つ前記リール回転軸には第一傘歯車が固定的に設けられ、前記第一傘歯車の片側には第二傘歯車が噛合できるように連結され、前記噛合チャンバのうち前記リールチャンバから離れた側には回転溝が設けられ、前記回転溝の中には回転歯車が歯車回転軸により回転できるように設けられ、前記歯車回転軸と前記第二傘歯車との間が伝動ベルトにより伝動できるように連結され、前記投入口の外側には回転装置が設けられ、前記遮り蓋板と前記投入口とが回転できるように連結され、
前記リールは回転し前記伸縮板を制御し前記伸縮溝の中で伸縮させてスライドさせることができ、前記遮り蓋板は雨の日に前記伸縮溝から伸び出しては前記ゴミチャンバと前記ソーラーパネルとが濡らされないように雨を遮ることができ、前記ソーラーパネルが壊れることを防止する。
【００１１】
優選の技術プランとして、前記回転装置は前記投入口と連通した回転チャンバを含み、四つの前記回転チャンバの中にはそれぞれ回転ブロックが設けられ、前記遮り蓋板のうち前記昇降親ねじの軸心線に近接した一端面の中間部分が前記回転ブロックと固定的に連結され、前記回転ブロックの中には押し溝が設けられ、前記押し溝の中には押しロッドがスライドできるように設けられ、前記押しロッドが前記回転歯車と噛合しており、前記押しロッドの下端には圧縮バネが固定的に設けられ、前記投入口のうち前記回転チャンバから離れた片側には開閉チャンバが連通するように設けられ、前記開閉チャンバの中には開閉回転ブロックが回転できるように設けられ、前記開閉回転ブロックの中には回転軸が回転できるように設けられ、前記回転軸が前記遮り蓋板と固定的に連結され、前記回転軸には第三傘歯車が固定的に設けられ、前記開閉チャンバの中には前記第三傘歯車と噛合した第四傘歯車が回転できるように設けられ、前記第四傘歯車の軸心には芯金が固定的に設けられ、四つの前記芯金と前記スプライン回転輪との間が同期歯型ベルトにより伝動できるように連結され、
前記開閉回転ブロックは回転し前記遮り蓋板を揺動連動させ、前記ゴミチャンバを開閉することができ、前記第四傘歯車は回転し前記回転軸を回転連動させることで、前記遮り蓋板が反転し、前記ソーラーパネルを下向きに翻転させ、前記ソーラーパネルが劣悪な天気に影響されて壊れることを防止する。
【００１２】
優選の技術プランとして、前記足踏み式開閉装置は引き動かし溝を含み、前記引き動かし溝が前記開閉チャンバと連通しており、四つの前記引き動かし溝の中にはそれぞれスライドラックが設けられ、前記スライドラックのうち前記開閉チャンバに近接した端面が前記開閉回転ブロックと噛合しており、前記スライドラックのうち前記スライドラックと対応した前記ゴミチャンバの端面には第二復帰部品が固定的に設けられ、前記第二復帰部品は前記スライドラックを自動的に昇降させて復帰させることができ、前記引き動かし溝の下側には足踏み溝が外部と連通するように設けられ、前記スライドラックの下端が前記足踏み溝の中に延びており、前記足踏み溝の中にある前記スライドラックには連通溝が設けられ、前記足踏み溝の中には足踏み板が回転できるように設けられ、前記足踏み板のうち前記昇降親ねじから離れた一端が前記連通溝を貫通し外部に延びており、
下へ前記足踏み板を踏み、前記スライドラックを降下させることで前記開閉回転ブロックを揺動連動させ、前記ゴミチャンバを開閉できる。
【発明の効果】
【００１３】
本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のゴミ圧縮機能付きの公衆ゴミ箱の全体構成略図
【図２】図２は図１のＡ―Ａ方向の構成略図
【図３】図３は図２のＢ―Ｂ方向の構成略図
【図４】図４は図１のＣ―Ｃ方向の構成略図
【図５】図５は図１のＤの拡大構成略図
【図６】図６は図１のＥの拡大構成略図
【図７】図７は図１のＦ―Ｆ方向の構成略図
【発明を実施するための形態】
【００１６】
本発明のゴミ圧縮機能付きの公衆ゴミ箱は、主にゴミ回収作業のゴミ圧縮作業に適用され、以下に付図を合わせて本発明について詳しく説明する：
【００１７】
本発明の前記ゴミ圧縮機能付きの公衆ゴミ箱は、本体１０を含み、前記本体１０の中には四つのゴミチャンバ１１が円周方向に沿って配置され、前記ゴミチャンバ１１の中には濾過網５５が固定的に設けられ、前記ゴミチャンバ１１の間には昇降圧縮装置８０１が設けられ、前記昇降圧縮装置６０１の下側には動力提供装置６０２が設けられ、前記動力提供装置６０２は前記昇降圧縮装置６０１の作動を制御でき、前記ゴミチャンバ１１の上側には圧縮回転溝１７が連通するように設けられ、前記圧縮回転溝１７の中には四つの圧縮板２０が設けられ、前記圧縮板２０と前記昇降圧縮装置６０１とが固定的に連結されていることで、前記昇降圧縮装置６０１が前記圧縮板２０を降下連動させてゴミを圧縮することができ、前記圧縮回転溝１７の下側と隣接の前記ゴミチャンバ１１との間には掃除道具と回収されたゴミを収納できる四つの収納チャンバ９０が設けられ、前記圧縮回転溝１７の上側には四つの投入口２２が外部と連通するように設けられ、前記投入口２２の中にはソーラー発電装置６０３が設けられ、前記投入口２２の外側には足踏み式開閉装置６０４が設けられ、前記足踏み式開閉装置６０４が前記ソーラー発電装置６０３と連結され、前記本体１０の下端壁の中には地下排水パイプと連通された液体チャンバ６０が設けられ、四つの前記ゴミチャンバ１１と前記液体チャンバ６０との間がそれぞれ水管７１により連通され、前記液体チャンバ６０の右側には蓄電池２５が設けられ、前記ソーラー発電装置６０３が作動し発電し電気を前記蓄電池２５の中に貯蔵し本願発明のゴミ圧縮機能付きの公衆ゴミ箱に電気を提供し、
前記昇降圧縮装置６０１が前記圧縮板２０を降下連動させることにより、ゴミチャンバ１１の中にあるゴミを圧縮でき、ゴミの中にある水が前記液体チャンバ６０を経由して排出され、前記ソーラー発電装置６０３が発電し装置全体に電力を提供できる。
【００１８】
有益に、四つの前記投入口２２と四つの前記ゴミチャンバ１１との位置がそれぞれ対応しており、前記圧縮板２０の初期位置が前記ゴミチャンバ１１とずれており、ゴミを前記投入口２２から直接に前記ゴミチャンバ１１に入れることができ、前記圧縮板２０の下端面には押し釘２１が均一に配置され、
圧縮作業をする時、前記圧縮板２０が前記ゴミチャンバ１１の中に回転し降下し、ゴミを圧縮する。
【００１９】
有益に、前記昇降圧縮装置６０１は昇降チャンバ１２を含み、前記昇降チャンバ１２の中には昇降親ねじ１４が回転できるように設けられ、前記昇降親ねじ１４の下端と前記動力提供装置６０２とがスプラインによって連結され、前記昇降チャンバ１２と四つの前記ゴミチャンバ１１との間にはそれぞれ昇降ガイド溝１３が連通するように設けられ、前記昇降チャンバ１２と前記昇降ガイド溝１３の上側には方向変換溝１５が連通するように設けられ、前記方向変換溝１５の上側が前記圧縮回転溝１７と連通しており、前記昇降親ねじ１４の上端が前記方向変換溝１５を貫通して前記圧縮回転溝１７の上端壁と回転可能に連結され、前記方向変換溝１５の中にある前記昇降親ねじ１４には昇降ブロック１６がねじ山によって連結され、前記昇降ブロック１６の上端面にはスリーブ１８が固定的に設けられ、前記スリーブ１８の上端が前記圧縮回転溝１７の中に延びており、前記スリーブ１８には四つの連結ロッド１９が円周方向に沿って配置され、四つの前記連結ロッド１９がそれぞれ四つの前記圧縮板２０と対応して固定的に連結され、
前記昇降親ねじ１４が回転し、前記昇降ブロック１６を前記昇降チャンバ１２と対向する位置まで回転させる時、前記圧縮板２０が前記ゴミチャンバ１１の上側の対応位置にあり、前記昇降ブロック１６が前記圧縮板２０を連動させて前記昇降チャンバ１２に沿って降下させ、ゴミチャンバ１１の中のゴミを圧縮する。
【００２０】
有益に、前記昇降ブロック１６の形が前記昇降チャンバ１２の上面断面の形と同じであり、前記昇降ブロック１６は前記方向変換溝１５の中で四十五度回転でき、前記昇降ブロック１６が前記方向変換溝１５の左端壁と当接するまで回転した時、前記昇降親ねじ１４が持続的に回転し前記昇降ブロック１６を前記昇降チャンバ１２に沿って降下させる。
【００２１】
有益に、前記動力提供装置６０２は動力チャンバ６３を含み、前記動力チャンバ６３の下端壁の中には液圧シリンダー６７が取り付けられ、前記液圧シリンダー６７の上端には伸縮軸６８が伝動できるように取り付けられ、前記伸縮軸６８の上端には動力ブロック６５が固定的に設けられ、前記動力ブロック６５の中にはモーター６６が固定的に設けられ、前記モーター６６の上端には動力スプライン軸６４が伝動できるように連結され、前記動力スプライン軸６４の上端と前記昇降親ねじ１４の下端とがスプラインによって連結されることができ、前記動力スプライン軸６４にはスプラインブロック６９が固定的に設けられ、前記動力チャンバ６３の中にはスプライン回転輪７０が回転できるように設けられ、前記スプライン回転輪７０が前記動力スプライン軸６４の外周にカバーし配置され、前記スプライン回転輪７０の内端壁がスプライン状であり、且つ前記スプラインブロック６９とスプラインによって連結されることができ、
前記モーター６６はそれぞれ前記昇降圧縮装置６０１と前記ソーラー発電装置６０３とを駆動し作動させることができる。
【００２２】
有益に、前記ソーラー発電装置６０３は遮り蓋板２３を含み、前記遮り蓋板２３の上端面にはソーラーパネル２４が取り付けられ、前記ソーラーパネル２４と前記蓄電池２５とが通電できるように連結され、前記遮り蓋板２３の中にはリールチャンバ３１が設けられ、前記リールチャンバ３１が前記ソーラーパネル２４の下側に位置し、前記リールチャンバ３１の中にはリール回転軸３３によりリール３２が回転できるように設けられ、前記リールチャンバ３１の前後側には伸縮溝２６が連通するように設けられ、前記伸縮溝２６の中には伸縮板２７がスライドできるように設けられ、前記伸縮板２７のうち前記リールチャンバ３１に近接した一端には引き紐３０が固定的に設けられ、前記引き紐３０のもう一端が前記リールチャンバ３１の中に延びており、且つ前後の前記引き紐３０が同じ側で前記リール３２に巻き付いており、前記伸縮板２７の左右端には前記伸縮板２７を復帰させることができる第一復帰部品２９が固定的に設けられ、前記伸縮板２７のうち前記リールチャンバ３１から離れた一端の面には防雨板２８が回転できるように連結され、前記リールチャンバ３１のうち前記昇降親ねじ１４の軸心線に近接した側には噛合チャンバ３４が連通するように設けられ、前記リール回転軸３３が前記噛合チャンバ３４の中に延びており、且つ前記リール回転軸３３には第一傘歯車３５が固定的に設けられ、前記第一傘歯車３５の片側には第二傘歯車３６が噛合できるように連結され、前記噛合チャンバ３４のうち前記リールチャンバ３１から離れた側には回転溝３９が設けられ、前記回転溝３９の中には回転歯車４０が歯車回転軸３８により回転できるように設けられ、前記歯車回転軸３８と前記第二傘歯車３６との間が伝動ベルト３７により伝動できるように連結され、前記投入口２２の外側には回転装置６０５が設けられ、前記遮り蓋板２３と前記投入口２２とが回転できるように連結され、
前記リール３２は回転し前記伸縮板２７を制御し前記伸縮溝２６の中で伸縮させてスライドさせることができ、前記遮り蓋板２３は雨の日に前記伸縮溝２６から伸び出しては前記ゴミチャンバ１１と前記ソーラーパネル２４とが濡らされないように雨を遮ることができ、前記ソーラーパネル２４が壊れることを防止する。
【００２３】
有益に、前記回転装置６０５は前記投入口２２と連通した回転チャンバ４１を含み、四つの前記回転チャンバ４１の中にはそれぞれ回転ブロック４２が設けられ、前記遮り蓋板２３のうち前記昇降親ねじ１４の軸心線に近接した一端面の中間部分が前記回転ブロック４２と固定的に連結され、前記回転ブロック４２の中には押し溝４３が設けられ、前記押し溝４３の中には押しロッド４４がスライドできるように設けられ、前記押しロッド４４が前記回転歯車４０と噛合しており、前記押しロッド４４の下端には圧縮バネ４５が固定的に設けられ、前記投入口２２のうち前記回転チャンバ４１から離れた片側には開閉チャンバ４７が連通するように設けられ、前記開閉チャンバ４７の中には開閉回転ブロック４６が回転できるように設けられ、前記開閉回転ブロック４６の中には回転軸４８が回転できるように設けられ、前記回転軸４８が前記遮り蓋板２３と固定的に連結され、前記回転軸４８には第三傘歯車４９が固定的に設けられ、前記開閉チャンバ４７の中には前記第三傘歯車４９と噛合した第四傘歯車５０が回転できるように設けられ、前記第四傘歯車５０の軸心には芯金５４が固定的に設けられ、四つの前記芯金５４と前記スプライン回転輪７０との間が同期歯型ベルト６２により伝動できるように連結され、
前記開閉回転ブロック４６は回転し前記遮り蓋板２３を揺動連動させ、前記ゴミチャンバ１１を開閉することができ、前記第四傘歯車５０は回転し前記回転軸４８を回転連動させることで、前記遮り蓋板２３が反転し、前記ソーラーパネル２４を下向きに翻転させ、前記ソーラーパネル２４が劣悪な天気に影響されて壊れることを防止する。
【００２４】
有益に、前記足踏み式開閉装置６０４は引き動かし溝５１を含み、前記引き動かし溝５１が前記開閉チャンバ４７と連通しており、四つの前記引き動かし溝５１の中にはそれぞれスライドラック５２が設けられ、前記スライドラック５２のうち前記開閉チャンバ４７に近接した端面が前記開閉回転ブロック４６と噛合しており、前記スライドラック５２のうち前記スライドラック５２と対応した前記ゴミチャンバ１１の端面には第二復帰部品５３が固定的に設けられ、前記第二復帰部品５３は前記スライドラック５２を自動的に昇降させて復帰させることができ、前記引き動かし溝５１の下側には足踏み溝５６が外部と連通するように設けられ、前記スライドラック５２の下端が前記足踏み溝５６の中に延びており、前記足踏み溝５６の中にある前記スライドラック５２には連通溝５７が設けられ、前記足踏み溝５６の中には足踏み板５８が回転できるように設けられ、前記足踏み板５８のうち前記昇降親ねじ１４から離れた一端が前記連通溝５７を貫通し外部に延びており、下へ前記足踏み板５８を踏み、前記スライドラック５２を降下させることで前記開閉回転ブロック４６を揺動連動させ、前記ゴミチャンバ１１を開閉できる。
【００２５】
以下に図１〜７を合わせて本発明のゴミ圧縮機能付きの公衆ゴミ箱の使用手順について詳しく説明する：
【００２６】
初期状態に、遮り蓋板２３はゴミチャンバ１１の上側に位置してゴミチャンバ１１を遮ることができ、圧縮板２０が圧縮回転溝１７の中に位置しており、且つ圧縮板２０がゴミチャンバ１１と投入口２２との連通を妨害していなく、昇降ブロック１６が方向変換溝１５の中に位置しており、防雨板２８が伸縮溝２６の中に収縮しており、且つ第一復帰部品２９が延びている状態であり、回収されたゴミ又はゴミ掃除道具を収納チャンバ９０の中に収納することで、作業員が随意に使用することに便利であり、晴れた日に、ソーラーパネル２４が作動しソーラーパワーを電気エネルギーに変え、電気エネルギーを蓄電池２５の中に貯蔵し、ゴミを捨てる時、足で足踏み板５８を踏み降下させ、引き動かし溝５１を降下させ、開閉回転ブロック４６が回転し、遮り蓋板２３を上方へ揺動連動させ、ゴミチャンバ１１を開け、ゴミをゴミチャンバ１１の中に入れる。
【００２７】
圧縮する時、モーター６６が作動し動力スプライン軸６４を回転連動させ、昇降親ねじ１４が回転し、昇降ブロック１６を四十五度回転させ、圧縮板２０をゴミチャンバ１１の上側に位置させることで、昇降ブロック１６が降下し、連結ロッド１９により圧縮板２０を降下連動させ、これによって圧縮板２０にゴミチャンバ１１の中のゴミを圧縮させ、ゴミの中の水が押されて濾過網５５と水管７１とを経由して液体チャンバ６０の中に入り、外部の排水システムの中に排出され、雨の日に使用する時、液圧シリンダー６７が作動し伸縮軸６８を降下させ、動力ブロック６５を降下連動させ、動力スプライン軸６４と昇降親ねじ１４とが離脱し、且つスプラインブロック６９がスプライン回転輪７０とスプラインにより連結され、モーター６６が作動しスプライン回転輪７０を回転連動させ、同期歯型ベルト６２により第四傘歯車５０を回転連動させ、第三傘歯車４９が回転軸４８を回転連動させ、ソーラーパネル２４が下向きになるまで遮り蓋板２３を翻転させ、遮り蓋板２３が翻転する過程に回転ブロック４２を回転連動させ、押しロッド４４が回転チャンバ４１の内端壁に押されて押し溝４３の中に収縮し、回転歯車４０を回転させ、伝動によりリール３２を回転させ、伸縮板２７が第一復帰部品２９の弾性復帰力によりリール３２から離れた側へ移動し、防雨板２８が伸縮溝２６から伸び出して垂直状態になり、雨を遮り、雨水がゴミチャンバ１１の中に入ることを防止でき、またソーラーパネル２４を保護できる。
【００２８】
本発明の有益効果は：本発明は箱内のゴミを自動的に圧縮でき、ゴミの中の水が排水システムに入り、ゴミ箱周囲の清潔を保ち、装置内の圧縮板は回転し収縮でき、ゴミチャンバと投入口との連通をキープし、ゴミの投入に便利であり、そして、ゴミチャンバの上側の遮り蓋板にはソーラーパネルが取り付けられ、自動的に発電し貯蔵し装置に動力を提供でき、雨の日に使用する時、防雨板と遮り蓋板は雨水がゴミチャンバの中に入ることを阻止でき、水がゴミに入ることによりゴミが腐ることを防ぎ、また、箱内の収納チャンバに掃除道具を入れることができ、使用に便利である。
【００２９】
以上の方式により、本分野の技術者は本発明の範囲内に作動モードにより各種な変形を加えることができる。